(57)【要約】【課題】特に入力手段が設けられていなくてもペアリングを実現できるようにする、或いは、ペアリングに関してユーザの利便性を向上させる。【解決手段】第１機器（１）及び第２機器（２）を備え、ペアリングを介して第１及び第２機器間の通信が可能となる通信システムにおいて、第１機器は、自身の起動に連動して第２機器とペアリング済みであるかを判断する第１判断処理を行い、第２機器とのペアリングが未完了であると判断した場合、その判断に連動して、ペアリングを実現するためのペアリング動作を実行し、第２機器は、自身の起動に連動して第１機器とペアリング済みであるかを判断する第２判断処理を行い、第１機器とのペアリングが未完了であると判断した場合、その判断に連動して、自身の動作モードをペアリングが可能なペアリングモードに移行させる。【選択図】図２
2015023496.tif 000002
【特許請求の範囲】
【請求項１】
第１機器及び第２機器を備え、ペアリングを介して前記第１及び第２機器間の通信が可能となる通信システムにおいて、
前記第１機器は、自身の起動に連動して前記第２機器とペアリング済みであるかを判断する第１判断処理を行い、前記第２機器とのペアリングが未完了であると判断した場合、その判断に連動して、ペアリングを実現するためのペアリング動作を実行し、
前記第２機器は、自身の起動に連動して前記第１機器とペアリング済みであるかを判断する第２判断処理を行い、前記第１機器とのペアリングが未完了であると判断した場合、その判断に連動して、自身の動作モードをペアリングが可能なペアリングモードに移行させる
ことを特徴とする通信システム。
【請求項２】
前記第１機器は、前記ペアリング動作において、相手機器を探索するための探索信号及び前記相手機器の持つ固有情報を問い合わせる問い合わせ信号を送信し、
前記第２機器は、自身の動作モードが前記ペアリングモードである場合において、前記探索信号に応答するとともに、前記問い合わせ信号に対し前記固有情報として自身が有する特定固有情報を返信し、
前記第１機器は、前記問い合わせ信号に対する前記相手機器からの返信信号に前記特定固有情報が含まれているとき、前記相手機器とペアリングを行う
ことを特徴とする請求項１に記載の通信システム。
【請求項３】
前記第１機器は、前記第１判断処理にて前記第２機器とペアリング済みであると判断した場合、ペアリング済みの前記第２機器との接続を試行し、前記試行の開始後、所定の接続試行待機時間が経過しても前記接続が成されないときには、前記ペアリング動作を起動する
ことを特徴とする請求項１又は２に記載の通信システム。
【請求項４】
前記第２機器は、前記第２判断処理にて前記第１機器とペアリング済みであると判断した場合、ペアリング済みの前記第１機器に向けて接続要求信号を送信し、その送信の開始後、所定の接続要求待機時間が経過しても前記第１機器と接続されないときには、前記動作モードを前記ペアリングモードに移行させる
ことを特徴とする請求項１乃至３の何れかに記載の通信システム。
【請求項５】
前記ペアリング動作において、前記探索信号に対する応答信号を複数の相手機器としての複数の第２機器から受信したとき、前記第１機器は、前記複数の第２機器の内、最も大きな受信電波強度に対応する第２機器とペアリングを行う
ことを特徴とする請求項２に記載の通信システム。
【請求項６】
前記ペアリング動作において、前記探索信号に対する応答信号を複数の相手機器としての複数の第２機器から受信したとき、前記第１機器は、前記複数の第２機器の内、最後に起動した第２機器とペアリングを行う
ことを特徴とする請求項２に記載の通信システム。
【請求項７】
前記第２機器は、当該第２機器の動きを検出する動き検出部を有して、前記動き検出部の検出結果に応じた操作データを、接続された前記第１機器に送信し、
当該通信システムには、１以上の第２機器が設けられ、
前記第１機器は、接続された前記第２機器からの受信操作データに応じて所定処理を行う処理部を有し、接続された前記第２機器内の前記動き検出部に異常が検出されたとき、他の第２機器とのペアリングを実現すべく前記ペアリング動作を起動する
ことを特徴とする請求項１乃至６の何れかに記載の通信システム。
【請求項８】
前記異常が検出されたとき、前記第１機器は、前記異常を持つ前記第２機器に対応付けて異常情報を保持し、
その後、前記第１機器の電源オフを経て前記第１機器が再起動したとき、
前記第１機器は、前記異常情報が対応付けられた前記第２機器との接続を試行することなく前記ペアリング動作を起動する、或いは、前記異常情報が対応付けられた前記第２機器以外の第２機器であって且つペアリング済みの第２機器と接続する
ことを特徴とする請求項７に記載の通信システム。
【請求項９】
前記第１機器は、前記第２機器とのペアリングが未完了であると判断した場合、前記第２機器とのペアリングが完了するまで前記ペアリング動作を所定間隔にて繰り返し実行し、前記ペアリング動作の繰り返し実行回数の増大につれて前記所定間隔を増大させる
ことを特徴とする請求項１乃至８の何れかに記載の通信システム。
【発明の詳細な説明】
【技術分野】
【０００１】
本発明は、通信システムに関する。
【背景技術】
【０００２】
Bluetooth（登録商標）を用いて第１機器と第２機器を接続する場合、事前にペアリングの実施が必要となる。これを実現するため、一般的には、ユーザは第１機器に対して周辺機器の探索を指示し、モード指定にて第２機器の動作モードをペアリングモードにする。そして、探索により見つかった周辺機器（１以上の第２機器）が第１機器の画面に一覧表示され、ユーザが、その一覧表示を参照しつつ、ペアリングを望む何れかの周辺機器を選ぶ選択操作を第１機器に入力する。尚、下記特許文献１には、機器名等の機器情報を考慮してペアリングを行う方法が示されている（特許文献１；図７、明細書段落［００３３］〜［００３８］参照）。
【先行技術文献】
【特許文献】
【０００３】
【特許文献１】国際公開２０１２／０３３０６５号公報
【発明の概要】
【発明が解決しようとする課題】
【０００４】
上述の如く、ユーザによる第１機器への探索指示や選択操作、及び、ユーザによる第２機器へのモード指定（動作モードをペアリングモードにする指定）を伴ってペアリングが行われることが一般的である。しかしながら、小型のスティック型セットトップボックスのように、第１機器が、ユーザからの操作を受け付ける入力手段を何ら有さない場合、探索指示や選択操作を第１機器に入力することができない。第２機器も入力手段を持たないならば第２機器へのモード指定も困難である。このような第１及び第２機器を含む通信システムにおいても、所望のペアリングを実現できる方法の開発が望まれる。これは、Bluetooth以外の無線通信規格を採用する通信システムにもあてはまりうる。また、ペアリングに関し、ユーザの手間を軽減することも肝要である。
【０００５】
そこで本発明は、特に入力手段が設けられていなくてもペアリングを実現できる通信システム又はユーザの利便性向上に寄与する通信システムを提供することを目的とする。
【課題を解決するための手段】
【０００６】
本発明に係る通信システムは、第１機器及び第２機器を備え、ペアリングを介して前記第１及び第２機器間の通信が可能となる通信システムにおいて、前記第１機器は、自身の起動に連動して前記第２機器とペアリング済みであるかを判断する第１判断処理を行い、前記第２機器とのペアリングが未完了であると判断した場合、その判断に連動して、ペアリングを実現するためのペアリング動作を実行し、前記第２機器は、自身の起動に連動して前記第１機器とペアリング済みであるかを判断する第２判断処理を行い、前記第１機器とのペアリングが未完了であると判断した場合、その判断に連動して、自身の動作モードをペアリングが可能なペアリングモードに移行させることを特徴とする。
【０００７】
これにより、ユーザによる特段の操作を必要とすることなく、所望のペアリングを実現することができる。従って、ユーザからの操作を受け付ける入力手段を第１機器又は第２機器が持たない場合でも、所望のペアリングを実現可能である。入力手段の割愛は、機器の小型化及び低コスト化にも繋がる。また、特段の操作を必要とせずに第１及び第２機器間のペアリングを実現できるため、ユーザにとって利便性が高い（ユーザの手間が省ける）。
【０００８】
具体的には例えば、前記第１機器は、前記ペアリング動作において、相手機器を探索するための探索信号及び前記相手機器の持つ固有情報を問い合わせる問い合わせ信号を送信し、前記第２機器は、自身の動作モードが前記ペアリングモードである場合において、前記探索信号に応答するとともに、前記問い合わせ信号に対し前記固有情報として自身が有する特定固有情報を返信し、前記第１機器は、前記問い合わせ信号に対する前記相手機器からの返信信号に前記特定固有情報が含まれているとき、前記相手機器とペアリングを行うことが好ましい。
【０００９】
これにより、ユーザに手間をかけることなく、第１機器の相手機器が第２機器であることが確認される場合に、ペアリングが実施されるようになる。
【００１０】
また例えば、前記第１機器は、前記第１判断処理にて前記第２機器とペアリング済みであると判断した場合、ペアリング済みの前記第２機器との接続を試行し、前記試行の開始後、所定の接続試行待機時間が経過しても前記接続が成されないときには、前記ペアリング動作を起動することが好ましい。
【００１１】
これにより、ペアリング済みの第２機器が第１機器の近くに存在しない場合などにおいて、第１機器は、接続試行待機時間の経過を経て、他の第２機器とのペアリングを実現可能となる。
【００１２】
また例えば、前記第２機器は、前記第２判断処理にて前記第１機器とペアリング済みであると判断した場合、ペアリング済みの前記第１機器に向けて接続要求信号を送信し、その送信の開始後、所定の接続要求待機時間が経過しても前記第１機器と接続されないときには、前記動作モードを前記ペアリングモードに移行させることが好ましい。
【００１３】
これにより、ペアリング済みの第１機器が第２機器の近くに存在しない場合などにおいて、第２機器は、接続要求待機時間の経過を経て、他の第１機器とのペアリングを実現可能となる。
【００１４】
また例えば、前記ペアリング動作において、前記探索信号に対する応答信号を複数の相手機器としての複数の第２機器から受信したとき、前記第１機器は、前記複数の第２機器の内、最も大きな受信電波強度に対応する第２機器とペアリングを行うことが好ましい。
【００１５】
これにより、例えば、第２機器が第１機器に対するリモートコントローラである場合において、ユーザが現在使用すると推測される第２機器に対し、ペアリングが実施される可能性が高まる。比較的大きな受信電波強度に対応する第２機器は、通常、第１機器の比較的近くに位置しており、ユーザは、第１機器の最も近くにしている第２機器を操作すると推定されるからである。
【００１６】
また例えば、前記ペアリング動作において、前記探索信号に対する応答信号を複数の相手機器としての複数の第２機器から受信したとき、前記第１機器は、前記複数の第２機器の内、最後に起動した第２機器とペアリングを行うことが好ましい。
【００１７】
これにより、例えば、第２機器が第１機器に対するリモートコントローラである場合において、ユーザが現在使用すると推測される第２機器に対し、ペアリングが実施される可能性が高まる。ユーザは、最も最近に起動した第２機器を用いて第１機器の遠隔操作を行う可能性が高いからである。
【００１８】
また例えば、前記第２機器は、当該第２機器の動きを検出する動き検出部を有して、前記動き検出部の検出結果に応じた操作データを、接続された前記第１機器に送信し、当該通信システムには、１以上の第２機器が設けられ、前記第１機器は、接続された前記第２機器からの受信操作データに応じて所定処理を行う処理部を有し、接続された前記第２機器内の前記動き検出部に異常が検出されたとき、他の第２機器とのペアリングを実現すべく前記ペアリング動作を起動することが好ましい。
【００１９】
これにより、異常が検出された第２機器以外の新たな第２機器に対して新たにペアリングを実現でき、新たな第２機器の操作データに従った所定処理（異常のない操作データに従った所定処理）を行うことが可能となる。
【００２０】
また例えば、前記異常が検出されたとき、前記第１機器は、前記異常を持つ前記第２機器に対応付けて異常情報を保持し、その後、前記第１機器の電源オフを経て前記第１機器が再起動したとき、前記第１機器は、前記異常情報が対応付けられた前記第２機器との接続を試行することなく前記ペアリング動作を起動する、或いは、前記異常情報が対応付けられた前記第２機器以外の第２機器であって且つペアリング済みの第２機器と接続することが好ましい。
【００２１】
これにより例えば、異常な第２機器との接続のために、ユーザが待機させられることが無くなり（いわば、不必要な待ち時間が無くなり）、異常の無い他の第２機器に第１機器を素早く接続させることが可能となる。
【００２２】
また例えば、前記第１機器は、前記第２機器とのペアリングが未完了であると判断した場合、前記第２機器とのペアリングが完了するまで前記ペアリング動作を所定間隔にて繰り返し実行し、前記ペアリング動作の繰り返し実行回数の増大につれて前記所定間隔を増大させることが好ましい。
【００２３】
これにより、起動している第２機器が第１機器の近くに存在していない場合などにおいて、必要以上に電力が消費されることが抑制される。
【発明の効果】
【００２４】
本発明によれば、特に入力手段が設けられていなくてもペアリングを実現できる通信システム又はユーザの利便性向上に寄与する通信システムを提供することが可能である。
【図面の簡単な説明】
【００２５】
【図１】本発明の第１実施形態に係る通信システムを含むシステム全体の構成図である。
【図２】本発明の第１実施形態に係る本体機器及びリモコンの内部ブロック図である。
【図３】本発明の第１実施形態に係る本体機器の状態遷移図である。
【図４】本発明の第１実施形態に係るリモコンの状態遷移図である。
【図５】本発明の第１実施形態に係る自動ペアリング動作のフローチャートである。
【図６】本発明の第２実施形態に係り、通信システムに含まれる１台の本体機器とｎ台のリモコンを示す図である。
【図７】本発明の第４実施形態に係り、ペアリングの対象機器が切り替わる様子を示した図である。
【発明を実施するための形態】
【００２６】
以下、本発明の実施形態の例を、図面を参照して具体的に説明する。参照される各図において、同一の部分には同一の符号を付し、同一の部分に関する重複する説明を原則として省略する。尚、本明細書では、記述の簡略化上、情報、信号、物理量、状態量又は部材等を参照する記号又は符号を記すことによって該記号又は符号に対応する情報、信号、物理量、状態量又は部材等の名称を省略又は略記することがある。
【００２７】
＜＜第１実施形態＞＞
本発明の第１実施形態を説明する。図１は、本発明の第１実施形態に係る通信システムを含むシステム全体の構成図である。通信システムは、本体機器１と、本体機器１を遠隔操作するためのリモートコントローラ（以下リモコンという）２と、を備える。表示装置３は、供給された映像信号に基づく映像を表示する装置である。本体機器１は、HDMI（登録商標）（High-Definition Multimedia Interface）等の任意の規格に準拠するケーブルを介して表示装置３に接続され、表示装置３に対して任意の映像信号を供給する。本体機器１及び表示装置３間は無線にて接続されていても良い。尚、映像信号と共に映像信号に同期する音声信号も本体機器１から表示装置３に供給されるが、本実施形態では、説明の簡略化上、特に必要のない限り、音声信号の記述を割愛する。
【００２８】
本体機器１は、所謂セットトップボックスである。但し、本体機器１はセットトップボックスに分類されない機器（例えばゲーム機器）であっても良い。セットトップボックスとしての本体機器１は、放送局から受信した放送信号に基づく映像信号を表示装置３に供給でき、録画機能やインターネット接続機能を有していても良い。本体機器１に接続される装置は表示装置以外でも良いし、本体機器１に表示装置３が内包されていても良い。
【００２９】
本体機器１及びリモコン２は、無線通信により相互に任意の信号及びデータを通信可能である。本体機器１及びリモコン２間の無線通信が準拠する無線通信規格は任意であるが、ここでは、本体機器１及びリモコン２間の無線通信がBluetooth（登録商標）に準拠しているものとする。尚、１台の本体機器１と通信し得るリモコン２は複数台存在し得る。
【００３０】
図２に、本体機器１及びリモコン２の内部ブロック図を示す。
【００３１】
本体機器１は、符号１１〜１６によって参照される各部位を備える。ＲＡＭ（Random Access Memory）１１は、本体機器１内で取り扱われる任意のデータを一時的に記憶する。ＲＯＭ（Read Only Memory）１２は、メインプロセッサ１３で実行されるプログラムの他、任意のデータを不揮発的に記憶する。メインプロセッサ１３は、ＣＰＵ（Central Processing Unit）等から成り、各種の信号処理及びＲＯＭ１２に記憶された各種のプログラムを実行すると共に、本体機器１内の各部位の動作を統括的に制御する。映像信号Ｉ／Ｆ部１４は、表示装置３へ映像信号を出力するためのインターフェースである。本体機器１は、任意の相手機器との間で、Bluetoothに準拠した無線通信を行う。通信部１５は、当該無線通信を行うための部位であり、信号の送受信を行う。本体機器１にとっての相手機器は、Bluetoothに準拠した無線通信を行いうる任意の機器であり、リモコン２を含む。本体機器１は、商用交流電力を駆動電力として用いて駆動する。但し、本体機器１に搭載されうるバッテリ（不図示）の出力電力が本体機器１の駆動電力であっても良い。
【００３２】
ペアリング情報保持メモリ１６（以下、保持メモリ１６と略記する）は、ペアリング済みの相手機器が存在する場合、その相手機器を特定するペアリング情報を保持する。保持メモリ１６に関する相手機器は、当然、本体機器１にとっての相手機器である。ペアリング済みの相手機器が存在しない場合、保持メモリ１６にペアリング情報は保持されない。ペアリング済みの相手機器が複数存在する場合、相手機器ごとのペアリング情報が保持メモリ１６に保持される。保持メモリ１６は、フラッシュメモリ等の不揮発性メモリであり、ＲＯＭ１２に内包されていても良い。保持メモリ１６に保持されるペアリング情報には、相手機器の固有情報が含まれ、相手機器の固有情報には、相手機器の機器名及び固有コード等が含まれる。尚、Bluetoothにおいて、機器名はデバイス名とも呼ばれる。
【００３３】
リモコン２は、符号２１〜２８によって参照される各部位を備える。ＲＡＭ（Random Access Memory）２１は、リモコン２内で取り扱われる任意のデータを一時的に記憶する。ＲＯＭ（Read Only Memory）２２は、メインプロセッサ２３で実行されるプログラムの他、任意のデータを不揮発的に記憶する。メインプロセッサ２３は、ＣＰＵ（Central Processing Unit）等から成り、各種の信号処理及びＲＯＭ２２に記憶された各種のプログラムを実行すると共に、リモコン２内の各部位の動作を統括的に制御する。操作入力部（操作ボタン部）２４は、機械式押しボタン等から成り、ユーザからの各種操作の入力を受ける。リモコン２は、任意の相手機器との間で、Bluetoothに準拠した無線通信を行う。通信部２５は、当該無線通信を行うための部位であり、信号の送受信を行う。リモコン２にとっての相手機器は、Bluetoothに準拠した無線通信を行いうる任意の機器であり、本体機器１を含む。リモコン２は、一次電池又は二次電池から成るバッテリ２６の出力電力を駆動電力として用いて駆動する。
【００３４】
動き検出部２７は、リモコン２の動きを検出し、検出された動きを示す動きデータを出力する。具体的には、リモコン２の角速度を検出するジャイロセンサにて動き検出部２７が形成され、この場合、動きデータはリモコン２の角速度を示す。但し、動き検出部２７が検出する物理量は、リモコン２の角速度以外の物理量（例えば、リモコン２の加速度、角加速度等）でも良い。
【００３５】
ペアリング情報保持メモリ２８（以下、保持メモリ２８と略記する）は、ペアリング済みの相手機器が存在する場合、その相手機器を特定するペアリング情報を保持する。保持メモリ２８に関する相手機器は、当然、リモコン２にとっての相手機器である。ペアリング済みの相手機器が存在しない場合、保持メモリ２８にペアリング情報は保持されない。ペアリング済みの相手機器が複数存在する場合、相手機器ごとのペアリング情報が保持メモリ２８に保持される。保持メモリ２８は、フラッシュメモリ等の不揮発性メモリであり、ＲＯＭ２２に内包されていても良い。保持メモリ２８に保持されるペアリング情報には、相手機器の固有情報が含まれ、相手機器の固有情報には、相手機器の機器名及び固有コード等が含まれる。
【００３６】
以下の説明において、通信に関する接続とは、通信を行うべき機器間で信号及びデータのやり取りが可能となる状態を指す。Bluetoothを用いて互いに接続される本体機器１及びリモコン２は、接続に当たって、まずペアリングを行う。つまり、本体機器１及びリモコン２は、ペアリングを介して相互の通信が可能となる。ペアリングの完了後にリモコン２を用いた本体機器１の操作が可能となる（ペアリング完了前にはリモコン２で本体機器１を操作できない）。接続の確立もペアリングも、メインプロセッサ１３の制御の下、通信部１５及び２５を用いて実現される。以下、ペアリングの手順に特に注目して本体機器１及びリモコン２の詳細動作を説明する。
【００３７】
図３は、本体機器１の状態遷移図である。本体機器１の電源がオンとなると（即ち、本体機器１の電源がオフからオンに切り替わると）本体機器１が起動し、本体機器１の状態は状態Ｓ１０となる。本体機器１の電源のオフからオンへの切り替わりは、本体機器１に対する駆動電力の投入によって生じる。本体機器１に電源スイッチ（不図示）が設けられていても良い。この場合、当該電源スイッチが操作されることで、本体機器１の電源のオフからオンへの切り替わり又はオンからオフへの切り替わりが実現される。
【００３８】
本体機器１が起動すると、その起動に連動して（本体機器１の起動を契機として）、ユーザ操作に依らず自動的に、メインプロセッサ１３は、本体機器１がリモコン２とペアリング済みであるか否かを判断する。この判断を行う処理（第１判断処理）をペアリング有無チェック（ペアリング情報有無チェック）と呼ぶ。即ち、状態Ｓ１０においてペアリング有無チェックが実行される。状態Ｓ１０でのペアリング有無チェックにおいて、メインプロセッサ１３は、保持メモリ１６にペアリング情報が保持されているか否かをチェックする。
【００３９】
保持メモリ１６にペアリング情報が保持されていない場合（状態遷移Ｕ１）、リモコン２とのペアリングは未完了であると判断され、本体機器１の状態は状態Ｓ１０から状態Ｓ１２に遷移する。状態Ｓ１２において、本体機器１は、相手機器とのペアリングを実現するための自動ペアリング動作を実行する。つまり、ペアリング有無チェックによりリモコン２とのペアリングが未完了であると判断した場合、その判断に連動して（その判断を契機として）、ユーザ操作に依らず自動的に、メインプロセッサ１３は、自動ペアリング動作を実行する。
【００４０】
一方、状態Ｓ１０において保持メモリ１６にペアリング情報が保持されている場合（状態遷移Ｕ２）、本体機器１の状態は状態Ｓ１４に遷移する。状態Ｓ１４において、メインプロセッサ１３は、保持メモリ１６に保持されたペアリング情報に対応する相手機器と本体機器１との接続を確立するための接続処理を実行する。保持メモリ１６に保持されたペアリング情報に対応する相手機器は、過去において本体機器１とペアリングしたリモコン（以下、ペアリング済みリモコンと呼ぶ）２である。接続処理によって、本体機器１及びペアリング済みリモコン２間の接続が確立されると（状態遷移Ｕ４）、本体機器１の状態は状態Ｓ１６に遷移する。
【００４１】
但し、ペアリング済みリモコン２が本体機器１の近くに存在しない場合などにおいては、接続が確立できない場合がある。従って、状態Ｓ１４における接続処理において、メインプロセッサ１３は、本体機器１及びペアリング済みリモコン２間の接続を試行し、その試行開始からの経過時間を計測する。そして、試行の開始後、所定の待機時間ＴTH1（例えば１分）が経過しても、本体機器１及びペアリング済みリモコン２間の接続が確立されない場合、他のリモコン２とのペアリングを実現すべく、メインプロセッサ１３は本体機器１の状態を状態Ｓ１２へ遷移させ（状態遷移Ｕ３）、自動ペアリング動作を起動させる。
【００４２】
状態Ｓ１２での自動ペアリング動作において、メインプロセッサ１３は、通信部１５を用いて、本体機器１の周辺に存在し且つペアリングモードで動作する相手機器を探索し、特定機器名を持つ相手機器を識別して特定機器名を持つ相手機器に対してペアリングを行う。自動ペアリング動作では、相手機器とのペアリングの完了と同時に、又は、その後に、本体機器１及び相手機器間の接続も確立される。尚、特定機器名を持つ相手機器とペアリングが実行されるため、上述のペアリング有無チェックでは、特定機器名を持つ相手機器のペアリング情報が保持メモリ１６に保持されているか否かがチェックされることになる。自動ペアリング動作によりペアリングが完了して相手機器との接続が確立すると（状態遷移Ｕ５）、本体機器１の状態が状態Ｓ１６へ遷移する。
【００４３】
状態Ｓ１６において、本体機器１は本体通常動作を実行する。本体通常動作において、メインプロセッサ１３は、接続が確立したリモコン（以下、接続確立リモコンという）２から通信部１５を介して操作データを取得し、該操作データに応じた所定の操作応答処理を行う。操作データは、接続確立リモコンに対するユーザの操作内容（表示装置３に表示されるテレビ番組のチャンネル切り替えや、表示装置３の出力音量変更を指示する操作等の内容）を示す。操作応答処理は、例えば、表示装置３に表示されるテレビ番組のチャンネル間切り替え、表示装置３から出力される音声の音量変更である。
【００４４】
図４は、リモコン２の状態遷移図である。リモコン２の電源がオンとなると（即ち、リモコン２の電源がオフからオンに切り替わると）リモコン２が起動し、リモコン２の状態は状態Ｓ２０となる。リモコン２の電源のオフからオンへの切り替わりは、リモコン２に対する駆動電力の投入によって生じる。例えば、リモコン２に対して着脱自在になっているバッテリ２６をリモコン２に装着することで、リモコン２に対し駆動電力が投入されてリモコン２が起動する。或いは、リモコン２に電源スイッチ（不図示）が設けられていても良い。この場合、当該電源スイッチが操作されることで、リモコン２の電源のオフからオンへの切り替わり又はオンからオフへの切り替わりが実現される。また、リモコン２の動作モードが後述のスリープモードであるときにリモコン２に対して所定のスリープ解除操作が成されたときにも、リモコン２が起動し、リモコン２の状態は状態Ｓ２０となる。スリープ解除操作は、例えば、操作入力部２４に設けられた任意のボタンを押す操作である。
【００４５】
リモコン２の動作モードは、メインプロセッサ２３の制御の下、開始モード、ペアリングモード、接続要求モード、通常モード及びスリープモードを含む複数のモードの何れかとなる。リモコン２の動作モードは、状態Ｓ２０、Ｓ２２、Ｓ２４、Ｓ２６、Ｓ２８において、夫々、開始モード、ペアリングモード、接続要求モード、通常モード、スリープモードである。上記複数の動作モードの内、ペアリングモードにおいてのみ、相手機器とのペアリングが可能である。
【００４６】
リモコン２が起動すると、その起動に連動して（リモコン２の起動を契機として）、ユーザ操作に依らず自動的に、メインプロセッサ２３は、リモコン２が本体機器１とペアリング済みであるか否かを判断する。この判断を行う処理（第２判断処理）もペアリング有無チェック（ペアリング情報有無チェック）と呼ぶ。即ち、状態Ｓ２０においてペアリング有無チェックが実行される。状態Ｓ２０でのペアリング有無チェックにおいて、メインプロセッサ２３は、保持メモリ２８にペアリング情報が保持されているか否かをチェックする。
【００４７】
保持メモリ２８にペアリング情報が保持されていない場合（状態遷移Ｖ１）、本体機器１とのペアリングは未完了であると判断されて、リモコン２の状態は状態Ｓ２０から状態Ｓ２２に遷移する。状態Ｓ２２におけるリモコン２の動作モードは、相手機器とのペアリングが可能なペアリングモードである。つまり、ペアリング有無チェックにより本体機器１とのペアリングが未完了であると判断した場合、その判断に連動して（その判断を契機として）、ユーザ操作に依らず自動的に、メインプロセッサ２３は、リモコン２の動作モードをペアリングモードに移行させる。
【００４８】
一方、状態Ｓ２０において保持メモリ２８にペアリング情報が保持されている場合（状態遷移Ｖ２）、リモコン２の状態は状態Ｓ２４に遷移する。状態Ｓ２４において、メインプロセッサ２３は、保持メモリ２８に保持されたペアリング情報に対応する相手機器とリモコン２との接続を要求する接続要求信号を、通信部２５を用い当該相手機器に向けて送信する。保持メモリ２８に保持されたペアリング情報に対応する相手機器は、過去においてリモコン２とペアリングした本体機器（以下、ペアリング済み本体機器と呼ぶ）１である。ペアリング済み本体機器１の通信部１５にて接続要求信号を受信したとき、ペアリング済み本体機器１は、リモコン２と協働して上述の接続処理（図３のＳ１４参照）を実行する。そして、当該接続処理によって、ペアリング済み本体機器１及びリモコン２間の接続が確立されると、ペアリング済み本体機器１の状態は状態Ｓ１６に移行すると共にリモコン２の状態は状態Ｓ２６に移行する（状態遷移Ｕ４；図３、状態遷移Ｖ４；図４）。
【００４９】
但し、ペアリング済み本体機器１がリモコン２の近くに存在しない場合などにおいては、接続が確立できない場合がある。従って、状態Ｓ２４にて接続要求信号の送信を開始した後、メインプロセッサ２３は、その送信開始からの経過時間を計測する。そして、接続要求信号の送信開始後、所定の待機時間ＴTH2（例えば１分）が経過しても、ペアリング済み本体機器１及びリモコン２間の接続が確立されない場合、他の本体機器１とのペアリングを実現すべく、メインプロセッサ２３はリモコン２の状態を状態Ｓ２２へ遷移させる（状態遷移Ｖ３）。尚、状態Ｓ２４において、リモコン２は接続要求信号を繰り返し送信すると良い。また、状態Ｓ２４において、リモコン２に対し所定のペアリング操作が入力された場合にも、リモコン２の状態の状態Ｓ２２への遷移が発生する。ペアリング操作は、例えば、操作入力部２４に設けられたペアリングボタンを押す操作、又は、それ以外の専用操作である。
【００５０】
ペアリングモードにおいて、リモコン２は相手機器からの探索信号等に応答可能であるため、ペアリングが実現される。ペアリングモードにおいて、リモコン２と相手機器とのペアリングが完了すると共にリモコン２及び相手機器間の接続が確立すると（状態遷移Ｖ５）、リモコン２の状態は状態Ｓ２２から状態Ｓ２６へと遷移する。状態Ｓ２６において、リモコン２はリモコン通常動作を行う。リモコン通常動作において、メインプロセッサ２３は、リモコン２に対するユーザの操作内容を操作データに変換し、通信部２５を介して、該操作データを接続が確立した本体機器１に送信する。リモコン２に対するユーザの操作は、操作入力部２４に対する操作だけでなく、リモコン２を動かす操作を含む。即ち、ユーザは、リモコン２を動かすことで様々な指示を本体機器１に与えることができる。尚、状態Ｓ２６において、所定のペアリング操作がリモコン２に入力されたとき、リモコン２の状態は状態Ｓ２２へ遷移する（状態遷移Ｖ６）。
【００５１】
また、状態Ｓ２２、Ｓ２４又はＳ２６において、所定のスリープ条件が成立したとき、リモコン２の状態は状態Ｓ２８に遷移し（状態遷移Ｖ７）、リモコン２の動作モードはスリープモードとなる。スリープモードにおいて、リモコン２の消費電力は、開始モード、ペアリングモード、接続要求モード及び通常モードの何れよりも小さいが、信号及びデータの送信等はできない。スリープ条件は、例えば、第１条件“所定時間以上継続して操作入力部２４に対し何ら操作が入力されない”又は第２条件“所定時間以上継続してリモコン２に動きが無い”である。リモコン２の動きの有無は、動き検出部２７の検出結果から分かる。第１条件及び第２条件の双方の成立を以って、スリープ条件が成立しても良い。或いは、操作入力部２４にスリープボタン（不図示）を設けておいても良く、この場合、スリープボタンの押下によってスリープ条件が成立する。上述したように、スリープ解除操作の入力によりスリープ状態は解消されて状態Ｓ２０への遷移が発生する（状態遷移Ｖ８）。
【００５２】
次に、図５を参照して、本体機器１による自動ペアリング動作の手順を説明する。自動ペアリング動作に含まれるステップＳ５１〜Ｓ５８の各処理は、通信部１５を利用しつつ、主としてメインプロセッサ１３により実行される（但し、リモコン２での動作はメインプロセッサ２３により実行される）。まずステップＳ５１において、本体機器１は通信部１５から探索信号を送信（放送）することで、本体機器１の周辺に存在する相手機器を探索する。自身の動作モードがペアリングモードであるときにおいて探索信号を受信したリモコン２は、当該探索信号に応答して、本体機器１に対し探索応答信号を送信する。探索応答信号を受信したとき、本体機器１は、本体機器１の周辺に、探索応答信号の受信個数分だけ相手機器が存在すると認知する。探索応答信号の送信元の相手機器をペアリング候補機器と呼ぶ。ステップＳ５２において、本体機器１は、１以上のペアリング候補機器を発見したかをチェックする。１以上のペアリング候補機器を発見した場合には、ステップＳ５３にて変数ｉに１を代入してからステップＳ５４に進む。ペアリング候補機器が１つも発見されない場合にはステップＳ５１に戻る。幾つかのペアリング候補機器は、リモコン２以外の機器でありうる。
【００５３】
ステップＳ５４において、本体機器１は、探索信号に応答した相手機器（即ちペアリング候補機器）に対し、機器名を問い合わせる問い合わせ信号を送信する。この際、探索信号に応答した相手機器（即ちペアリング候補機器）が複数存在する場合には、相手機器ごとに問い合わせを行う。即ち、ステップＳ５４において、本体機器１は、第ｉペアリング候補機器に対し、第ｉペアリング候補機器の機器名を問い合わせる問い合わせ信号を送信する。問い合わせ信号を受信した第ｉペアリング候補機器は、自身の機器名を含む問い合わせ応答信号を本体機器１に送信（返信）する。ステップＳ５５において、問い合わせ応答信号を受信した本体機器１は、問い合わせ応答信号に含まれる第ｉペアリング候補機器の機器名が予め定められた特定機器名と一致しているか否かをチェックする。
【００５４】
第ｉペアリング候補機器の機器名が特定機器名と一致している場合にはステップＳ５８への移行が発生するが、そうでない場合には、ステップＳ５６への移行が発生する。ステップＳ５６では、全てのペアリング候補機器に対して機器名の問い合わせが完了したか否かがチェックされる。全てのペアリング候補機器に対して機器名の問い合わせが完了した場合にはステップＳ５１に戻るが、そうでない場合には、ステップＳ５７にて変数ｉに１を加算してからステップＳ５４に戻る。尚、ペアリング候補機器が複数存在する場合、複数のペアリング候補機器に対する問い合わせ信号の送信順序は任意であって良い。つまり、何れのペアリング候補機器を第１ペアリング候補機器に設定し、何れのペアリング候補機器を第２ペアリング候補機器に設定するのかは任意であって良い（第３ペアリング候補機器等についても同様）。
【００５５】
ステップＳ５８において、本体機器１は、特定機器名を持つ第ｉペアリング候補機器に対してペアリングを行う。リモコン２の機器名が特定機器名として本体機器１に予め登録されている。従って、ステップＳ５８にてペアリングの対象となる第ｉペアリング候補機器は、リモコン２である。特定機器名は複数存在していても良い。ペアリングの方法自体はBluetoothの規格に従う。第ｉペアリング候補機器とのペアリングの完了と同時に、又は、その後に、本体機器１及び第ｉペアリング候補機器間の接続も確立される。第ｉペアリング候補機器の固有情報を含むペアリング情報を保持メモリ１６へ保存する処理、及び、本体機器１の固有情報を含むペアリング情報を第ｉペアリング候補機器の保持メモリ２８へ保存する処理も、ステップＳ５８にて実行される。
【００５６】
Bluetoothのペアリングにおいては、ＰＩＮコード等の認証コードのユーザ入力操作が必要になることがあるが、本実施形態の自動ペアリング動作において、このようなユーザ入力操作は不要である。例えば、ＰＩＮコードの入力自体が不要なＳＳＰ（Simple Secure Pairing）を自動ペアリング動作に採用すれば良い。或いは例えば、リモコン２に割り当てられ且つリモコン２に書き込まれたＰＩＮコードと同じＰＩＮコードを、本体機器１に予め保持させておけば良い。この場合、自動ペアリング動作の中で、本体機器１に保持されたＰＩＮコードを、本体機器１からペアリングされるべきリモコン２に対して送信すれば良い。リモコン２において、受信したＰＩＮコードと自身に書き込まれているＰＩＮコードとが照合され、それらの一致が認められた場合に認証処理が完了してペアリングが完了する。
【００５７】
尚、上述した自動ペアリング動作では、探索信号の送信を行い、探索応答信号の受信後に問い合わせ信号の送信を行っているが、探索応答信号の受信を待たずに、問い合わせ信号の送信を行うようにしても良い。例えば、探索信号及び問い合わせ信号の送信を同時に又は連続的に行うようにしても良い。この場合、ペアリングモードにおいて、探索信号及び問い合わせ信号を受信したリモコン２が、探索応答信号及び問い合わせ応答信号を同時に又は連続的に本体機器１に送信する。
【００５８】
Bluetoothを用いて第１機器と第２機器を接続する場合、一般的には、ユーザが第１機器に対して周辺機器の探索を指示する一方で、ユーザ操作にて第２機器の動作モードをペアリングモードにする。そして、探索により見つかった周辺機器（１以上の第２機器）が第１機器の画面に一覧表示され、ユーザが、その一覧表示を参照しつつ、ペアリングを望む何れかの周辺機器を選ぶ選択操作を第１機器に入力する。しかしながら、小型のスティック型セットトップボックスのように、第１機器が、ユーザからの操作を受け付ける入力手段を何ら有さない場合、探索の指示や選択操作を第１機器に入力することができない。これに対し、本実施形態によれば、ユーザ操作を何ら必要とすることなく、所望のペアリングが実現される。つまり、ユーザからの操作を受け付ける入力手段を本体機器１が持たない場合でも、所望のペアリングが実現される。入力手段が不要な分、本体機器１を小型化及び低コスト化できる（但し、本体機器１に入力手段が設けられていても良い）。また、ユーザ操作を何ら必要とすることなく所望のペアリングが実現されて、リモコン２を用いた本体機器１の操作が可能となるため、利便性が高い。
【００５９】
＜＜第２実施形態＞＞
本発明の第２実施形態を説明する。第２実施形態及び後述の第３〜第５実施形態は第１実施形態を基礎とする実施形態であり、第２〜第５実施形態において特に述べない事項に関しては、特に記述無き限り且つ矛盾の無い限り、第１実施形態の記載が第２〜第５実施形態にも適用される。矛盾の無い限り、第１〜第５実施形態の内、任意の複数の実施形態を組み合わせても良い。
【００６０】
通信システムに２以上のリモコン２が含まれることもある。このような場合に、ペアリングを行うべきリモコン２を自動的に選択する方法について説明する。説明の具体化のため、図６に示す如く、１台の本体機器１とｎ台のリモコン２であるリモコン２［１］〜２［ｎ］とが、通信システムに含まれている場合を考える（ｎは２以上の整数）。ここでは、１台の本体機器１に注目するが、２以上の本体機器１が通信システムに含まれうる（上述及び後述の他の実施形態でも同様）。
【００６１】
自動ペアリング動作において、リモコン２［１］〜２［ｎ］の夫々が探索信号に応答し、応答信号Ｒ［１］〜Ｒ［ｎ］が本体機器１にて受信されたとする。応答信号Ｒ［ｉ］は、自動ペアリング動作中においてリモコン２［ｉ］が本体機器１に送信した信号であり、リモコン２［ｉ］からの探索応答信号を含む（ｉは整数）。本体機器１の通信部１５には、応答信号Ｒ［ｉ］の受信電波強度（通信部１５にて受信した応答信号Ｒ［ｉ］の電波の強度）を検出する受信電波強度検出部（不図示）が設けられている。受信電波強度は、応答信号Ｒ［１］〜Ｒ［ｎ］の受信信号レベルに基づき、応答信号Ｒ［１］〜Ｒ［ｎ］の夫々に対して個別に検出される。そして、メインプロセッサ１３は、応答信号Ｒ［１］〜Ｒ［ｎ］の受信電波強度の内、最大の受信電波強度に対応するリモコン２に対してペアリングを行う。従って例えば、応答信号Ｒ［１］〜Ｒ［ｎ］の受信電波強度の内、応答信号Ｒ［２］の受信電波強度が最も大きければ、リモコン２［２］とペアリングを行う。
【００６２】
ユーザが本体機器１及びリモコン２の組を複数所持している場合において、自動ペアリング動作が起動したとき、複数のリモコン２が同時に発見される可能性がある。基本的には、第ｉ組のリモコン２にて第ｉ組の本体機器１が操作されることが期待されるものの、第ｉ組のリモコン２にて第ｊ組の本体機器１も操作できたならば利便性が高い（ここでｉ≠ｊ）。一方で、本体機器１に最も近くに位置しているリモコン２は、ユーザが使用したいリモコン２である可能性が最も高いと推測され、受信電波強度は本体機器１及びリモコン２間の距離が短いほど大きくなる。そこで、第２実施形態では、受信電波強度が最も大きなリモコン２がユーザが使用したいリモコン２であると判断して、当該リモコン２に対し優先的にペアリングを行う。これにより、ユーザが使用すると推測されるリモコン２が、自動的にペアリングされ、ユーザ便宜が図られる。
【００６３】
＜＜第３実施形態＞＞
本発明の第３実施形態を説明する。第３実施形態でも、第２実施形態と同様、１台の本体機器１とリモコン２［１］〜２［ｎ］とが通信システムに含まれている場合を考える（図６参照）。自動ペアリング動作において、リモコン２［１］〜２［ｎ］の夫々が探索信号に応答し、応答信号Ｒ［１］〜Ｒ［ｎ］が本体機器１にて受信されたとする。
【００６４】
リモコン２［１］が１０時４０分に起動し、その後の１１時００分ちょうどにリモコン２［２］が起動した場合を考える。この場合、その直後の現時点（例えば１１時００分３秒）において、ユーザは、リモコン２［１］よりもリモコン２［２］を操作する可能性が高いと推測される。つまり、リモコン２［１］〜２［ｎ］の内、最後に起動したリモコン２は、ユーザが現在手に持っているリモコン２（即ちユーザが現在使用を望むリモコン２）である可能性が高い。
【００６５】
これを考慮し、自動ペアリング動作において、応答信号Ｒ［１］〜Ｒ［ｎ］が本体機器１にて受信されたとき、メインプロセッサ１３は、リモコン２［１］〜２［ｎ］の内、最後に起動したリモコン２に対してペアリングを行っても良い。
【００６６】
これによっても、ユーザが使用すると推測されるリモコン２が、自動的にペアリングされ、ユーザ便宜が図られる。最後に起動したリモコン２とは、リモコン２［１］〜２［ｎ］の内、最も遅い時刻に状態Ｓ２０に移ったリモコン２である。上述したように（図４参照）、リモコン２は、電源がオフからオンに切り替わったとき又はスリープモードにおいてスリープ解除操作が入力されたときに起動して状態Ｓ２０に移る。
【００６７】
各リモコン２に、現在時刻を計測する又はリモコン２の起動時からの経過時間を計測するタイマ（不図示）を設けておき、リモコン２［ｉ］中のタイマの計測結果を応答信号Ｒ［ｉ］に含めておけばよい。これにより、本体機器１は、応答信号Ｒ［１］〜Ｒ［ｎ］に基づき、ペアリングすべきリモコン２を決定できる。
【００６８】
＜＜第４実施形態＞＞
本発明の第４実施形態を説明する。上述したように、ユーザは、リモコン２を動かすことで様々な指示を本体機器１に与えることができる。
【００６９】
具体的には、本体機器１及びリモコン２間のペアリング及び接続の完了後、リモコン通常動作において、リモコン２は、動き検出部２７から出力される動きデータを含む操作データを本体機器１に送信し、メインプロセッサ１３は、操作データに応じた処理を行う。その処理の内容は、動きデータに依存して決定される。但し、動き検出部２７が故障している場合には、ユーザが希望する処理が実現されない（故障は異常の一種である）。そこで、本体機器１又はリモコン２に、動き検出部２７の故障の有無を検出する故障検出部（不図示）を設けておく。故障検出部は、動き検出部２７から出力される動きデータが所定の故障条件を満たすとき、動き検出部２７が故障していると判断することができる。例えば、周期的に取得される動きデータによるリモコン２の角速度が、所定時間以上継続して又は所定回数以上継続して所定範囲を逸脱しているとき、故障条件が満たされる。
【００７０】
今、図７を参照し、本体機器１及びリモコン２［１］間のペアリング及び接続の完了後、リモコン２［１］内の動き検出部２７の故障が検出された場合を考える。この場合、本体機器１は、現在使用しているリモコンに故障が発生している旨を、表示装置３を用いて又は本体機器１に設けられうる発光部等を用いて、ユーザに通知する。更に、この通知と共に、本体機器１は、他のリモコン（即ち、リモコン２［２］〜２［ｎ］の何れか）と新たにペアリングするべく、自動ペアリング動作を起動（実行）する。自動ペアリング動作及び自動ペアリング動作の完了後の動作は、上述した通りである。この自動ペアリング動作によって、図７に示す如くリモコン２［２］とペアリングされた場合、以後、リモコン２［２］を用いた本体機器１の操作が可能である。ｎが３以上である場合において、リモコン２［２］〜２［ｎ］の内、何れのリモコン２とペアリングするのかについては、第２又は第３実施形態の方法を利用できる。
【００７１】
また、リモコン２［１］内の動き検出部２７の故障が検出された場合、メインプロセッサ１３は、リモコン２［１］に対応付けて異常情報を保持メモリ１６に保持する。その後、本体機器１の電源オフを経て本体機器１が再起動した場合、上述の如く、本体機器１は、状態Ｓ１０でのペアリング有無チェックにより、保持メモリ１６にペアリング情報が保持されているか否かをチェックする。
【００７２】
このとき、リモコン２［１］とペアリング済みであることを示すリモコン２［１］のペアリング情報が保持メモリ１６に保持されていても、リモコン２［１］には異常情報が対応付けられている。そうすると、本体機器１では、状態Ｓ１０から状態Ｓ１２への遷移を発生させずに自動ペアリング動作を実行する。即ち、メインプロセッサ１３は、異常情報が対応付けられたリモコン２［１］との接続を試行することなく（状態Ｓ１４の接続処理を行わずに）、直ちに自動ペアリング動作を起動（実行）する。これにより、故障したリモコン２［１］との接続のために、ユーザが待機させられることが無くなる（いわば、不必要な待ち時間が無くなる）。更に、リモコン２［１］に異常情報が対応付けられた後の自動ペアリング動作において、メインプロセッサ１３は、故障を有するリモコン２［１］をペアリングの対象から除外する（即ち、リモコン２［１］をペアリング候補機器から除外される）。
【００７３】
リモコン２［１］に対応付けて異常情報が保持メモリ１６に保持された後、本体機器１の電源オフを経て本体機器１が再起動した場合、複数のリモコン２のペアリング情報が保持メモリ１６に保持されていることもある。例えば、本体機器１の再起動時に、リモコン２［１］及び２［２］のペアリング情報が保持メモリ１６に保持され、且つ、リモコン２［１］に対してのみ異常情報が対応付けられている場合もある。この場合、本体機器１の再起動後に、メインプロセッサ１３は、状態Ｓ１０から状態Ｓ１４の遷移を発生させ（図３参照）、リモコン２［２］と接続するための接続処理を実行する。この例におけるリモコン２［２］は、異常情報が対応付けられたリモコン２［１］以外のリモコン２であって且つペアリング済みのリモコン２である。これにより、本体機器１を故障していないリモコン２に素早く接続させることができる。
【００７４】
上述の如く、リモコン２［１］に異常情報が対応付けられた後の自動ペアリング動作では、リモコン２［１］がペアリングの対象から除外される。但し、その後において、修理等を介しリモコン２［１］内の動き検出部２７の故障が解消したと判断される場合には、リモコン２［１］に対応付けられた異常情報を保持メモリ１６から削除すると良い。故障検出部がリモコン２［１］に存在する場合、例えば、動き検出部２７の故障が解消した旨を応答信号Ｒ［１］に含めることができる。故障検出部が本体機器１に存在する場合、例えば、応答信号Ｒ［１］に動き検出部２７の出力動きデータを含めておいて、その動きデータから本体機器１にて故障の解消有無を判断すれば良い。
【００７５】
＜＜第５実施形態＞＞
本発明の第５実施形態を説明する。上述したように、本体機器１は、状態Ｓ１０でのペアリング有無チェックにおいてペアリング済みのリモコン２が存在しないと判断した場合、自動ペアリング動作を実行する。この際、探索信号に応答し且つ特定機器名を有する相手機器が１つも見つからない場合には、何れかの相手機器とのペアリングが完了するまで、探索信号の送信から始まる自動ペアリング動作を、所定間隔ＩＮＴにて繰り返し実行する（図５参照）。リモコン２［１］にのみ注目したならば、本体機器１は、リモコン２［１］とのペアリングが未完了であると判断したとき、リモコン２［１］とのペアリングが完了するまで自動ペアリング動作を所定間隔ＩＮＴにて繰り返し実行することになる。相手機器の探索開始から所定時間以上経過しても相手機器としてリモコン２が見つからない場合、メインプロセッサ１３は、表示装置３を用いて所定の通知を行うと良い。当該通知において、例えば、リモコン２の電源がオンになっているか否かの確認を促す表示を表示装置３に行わせると良い。
【００７６】
探索信号の送信による相手機器の探索を含む自動ペアリング動作は、電波の出力を伴うため、比較的大きな電力を消費する。リモコン２が起動していないとき等においては、相手機器の探索を行い続けても相手機器としてリモコン２が見つからず、探索による電力消費が無駄になる。そこで、メインプロセッサ１３は、自動ペアリング動作の繰り返し実行における自動ペアリング動作の実行間隔ＩＮＴを、自動ペアリング動作の繰り返し実行回数の増大につれて、増大させると良い。これにより、必要以上に電力が消費されることが抑制され、省電力化が図られる。間隔ＩＮＴは、例えば、相手機器の探索の実行間隔、即ち、第ｉ回目の自動ペアリング動作中における探索信号の送信タイミングと、第（ｉ＋１）回目の自動ペアリング動作中における探索信号の送信タイミングとの間隔に等しい。
【００７７】
＜＜変形等＞＞
本発明の実施形態は、特許請求の範囲に示された技術的思想の範囲内において、適宜、種々の変更が可能である。以上の実施形態は、あくまでも、本発明の実施形態の例であって、本発明ないし各構成要件の用語の意義は、以上の実施形態に記載されたものに制限されるものではない。上述の説明文中に示した具体的な数値は、単なる例示であって、当然の如く、それらを様々な数値に変更することができる。
【００７８】
自動ペアリング動作の中で、本体機器１は、相手機器が持つ固有情報を問い合わせる問い合わせ信号を送信し、相手機器からの問い合わせ応答信号（返信信号）の中に特定固有情報が含まれているとき、当該相手機器にペアリングを行う（図５のステップＳ５４、Ｓ５５及びＳ５８参照）。上述の各実施形態では、問い合わせ対象の固有情報が相手機器の機器名となっているが、問い合わせ対象の固有情報は、相手機器の機器名以外の、相手機器の固有情報（例えば、製品コード）でも良い。この場合、勿論、本体機器１が予め保持する特定固有情報も機器名の情報から変更される。
【００７９】
本体機器１及びリモコン２は、ペアリングを介して通信が可能となる第１機器及び第２機器の例である。上述の各実施形態において、第２機器はリモコン２であるため、第２機器はユーザからの各種操作を受ける入力手段を有している。しかしながら、本発明に係る第２機器は、ユーザからの各種操作を受ける入力手段を持っていなくても良い。第２機器が入力手段を持っていなかったとしても、第２機器の起動後、第１機器とのペアリングが未完了であると判断されたならば、自動的に第２機器の動作モードがペアリングモードとされるため、所望のペアリングを実現できる。
【００８０】
本体機器１又はリモコン２である対象装置を、集積回路等のハードウェア、或いは、ハードウェアとソフトウェアの組み合わせによって構成することができる。対象装置にて実現される機能の全部又は一部である任意の特定の機能をプログラムとして記述して、該プログラムを対象装置に搭載可能なフラッシュメモリに保存しておいても良い。そして、該プログラムをプログラム実行装置（例えば、対象装置に搭載可能なマイクロコンピュータ）上で実行することによって、その特定の機能を実現するようにしてもよい。上記プログラムは任意の記録媒体に記憶及び固定されうる。上記プログラムを記憶及び固定する記録媒体は対象装置と異なる機器（サーバ機器等）に搭載又は接続されても良い。
【符号の説明】
【００８１】
１  本体機器
２  リモコン
３  表示装置
２７  動き検出部
【図１】
2015023496.tif 000003
【図２】
2015023496.tif 000004
【図３】
2015023496.tif 000005
【図４】
2015023496.tif 000006
【図５】
2015023496.tif 000007
【図６】
2015023496.tif 000008
【図７】
2015023496.tif 000009